(57)【要約】【課題】  固定ビスを緩めて照明器具本体を動かさなくても、透光カバーだけを動かして角度調整することができる浴室天井用照明器具を提供することを目的とする。【解決手段】  この浴室天井用照明器具は、内部に光源１１および点灯回路を備えた平面視矩形状の照明器具本体１０と、照明器具本体１０の下方に被る平面視矩形状の透光カバー２０と、を備えた浴室の天井に取り付けられる照明器具であって、照明器具本体１０と透光カバー２０の間にパッキン５０と凸リブ６０とからなるシール部が設けられ、透光カバー２０は、水平方向に角度調整可能とするために、照明器具本体１０に対して水平方向に回動可能に取り付けられている。これにより、矩形状の透光カバー２０の辺と浴室の天井と壁面との境界線とを平行にする調整作業を、矩形状の透光カバー２０を水平方向に回動させるだけの簡単な作業で行うことができる。【選択図】  図９
2013196815.tif 000002
【特許請求の範囲】
【請求項１】
内部に光源および点灯回路を備えた平面視矩形状の照明器具本体と、照明器具本体の下方に被る平面視矩形状の透光カバーと、を備えた浴室の天井に取り付けられる照明器具であって、
前記照明器具本体と透光カバーの間にシール部が設けられ、
前記透光カバーは、水平方向に角度調整可能とするために、前記照明器具本体に対して水平方向に回動可能に取り付けられたことを特徴とする浴室天井用照明器具。
【請求項２】
前記照明器具本体の下面および透光カバーの上面には、一方には他方に向けて突出する凸リブを設け、他方にはパッキンを設け、
前記パッキンは、前記透光カバーが回動可能な範囲で、前記凸リブと接触する幅広形状であり、前記凸リブの頂点がパッキンを押し潰してシール部を構成するようにしたことを特徴とする請求項１記載の浴室天井用照明器具。
【請求項３】
透光カバーの上面は、透光カバーの周縁を内側に折り込ませた部分としたことを特徴とする請求項２記載の浴室天井用照明器具。
【請求項４】
前記透光カバーは、前記照明器具本体に対してＶバネの弾力で取り外し可能に取り付けられ、前記Ｖバネの弾力で前記凸リブをパッキンに押し当ててシールしたことを特徴とする請求項２〜３のいずれか１項に記載の浴室天井用照明器具。
【発明の詳細な説明】
【技術分野】
【０００１】
本発明は、浴室の天井に取り付けられた照明器具本体に対して透光カバーが着脱可能とされた浴室天井用照明器具に関する。
【背景技術】
【０００２】
固定ビスによって天井に取り付けられて、光源を有する照明器具本体と、照明器具本体に下方から装着される透光カバーと、両端部に鉤部が形成された一対のアーム部を有し、中央部に透光カバーへの取付け部が形成された略Ｖ字状のばね体（Ｖばね、戻りばね）と、を備え、照明器具本体に、ばね体のアーム部が挿通される一対の貫通孔を形成するとともに、貫通孔の裏側に鉤部を係合するばね受け部を形成し、ばね体のアーム部を貫通孔に挿通させた状態で透光カバーを照明器具本体に向けて押し込むことにより、ばね体の弾性でばね体を貫通孔に保持させて透光カバーを照明器具本体に取り付けるようにした天井取付用照明器具として、特許文献１，２に示されるような構成が知られている。
【先行技術文献】
【特許文献】
【０００３】
【特許文献１】特開平１１−３３９５３９号公報
【特許文献２】特開２００９−９７０９号公報
【発明の概要】
【発明が解決しようとする課題】
【０００４】
このような天井取付用照明器具は、固定ビスを固定してまうと、固定ビスを緩めない限り角度調整が行えない。そのため、平面視が矩形状の角型照明の場合には、天井と壁との境界線に対して平行とするのに大いに手間がかかってしまっていた。
本発明は、固定ビスを緩めて照明器具本体を動かさなくても、透光カバーだけを動かして角度調整することができる浴室天井用照明器具を提供することを目的とする。
【課題を解決するための手段】
【０００５】
上記の課題を解決するために、請求項１の浴室天井用照明器具では、内部に光源および点灯回路を備えた平面視矩形状の照明器具本体と、照明器具本体の下方に被る平面視矩形状の透光カバーと、を備えた浴室の天井に取り付けられる照明器具であって、照明器具本体と透光カバーの間にシール部が設けられ、透光カバーは、水平方向に角度調整可能とするために、照明器具本体に対して水平方向に回動可能に取り付けられたことを特徴とする。
これにより、矩形状の透光カバーの辺と浴室の天井と壁面との境界線とを平行にする調整作業を、矩形状の透光カバーを水平方向に回動させるだけの簡単な作業で行うことができる。
【０００６】
請求項２では、照明器具本体の下面および透光カバーの上面には、一方には他方に向けて突出する凸リブを設け、他方にはパッキンを設け、パッキンは、透光カバーが回動可能な範囲で、凸リブと接触する幅広形状であり、凸リブの頂点がパッキンを押し潰してシール部を構成するようにしている。
これにより、照明器具を浴室の天井に取り付けても確実にシールできる。しかも、パッキンが幅広なので、透光カバーを回動させてもパッキンと凸リブの位置がずれることがなく、シールを損なうことがない。
【０００７】
請求項３では、透光カバーの上面は、透光カバーの周縁を内側に折り込ませた部分とした。
これによれば、シール部が透光カバーの周端部ではないから、パッキンが露出することがなく、見栄えを損なうことがない。
【０００８】
請求項４では、透光カバーは、照明器具本体に対してＶバネの弾力で取り外し可能に取り付けられ、Ｖバネの弾力で凸リブをパッキンに押し当ててシールしている。
これによれば、透光カバーの取付、取り外しが容易である。
【発明の効果】
【０００９】
本発明によれば、固定ビスを緩めて照明器具本体を動かさなくても、透光カバーだけを動かして角度調整することができる浴室天井用照明器具を提供することができる。
【図面の簡単な説明】
【００１０】
【図１】本発明の一実施形態にかかる浴室天井用照明器具を下から見た斜視図
【図２】図１に示す浴室天井用照明器具を斜め上から見た斜視図
【図３】図１に示す浴室天井用照明器具の分解図
【図４】線ばねの拡大斜視図
【図５】図１に示す浴室天井用照明器具のばね受け部の拡大図
【図６】線ばねをばね受け部に装着した状態の、浴室天井用照明器具の側面図
【図７】透光カバーを照明器具本体に装着した状態の側面図
【図８】透光カバーを水平方向に回動させた状態を示す、照明器具本体の一部を切り欠いた平面図
【図９】図８のＸ−Ｘ断面図
【図１０】透光カバーを水平方向に回動させた状態の止水部を示す拡大図
【発明を実施するための形態】
【００１１】
以下、図に基づいて本発明の実施の形態を説明する。説明の理解を容易にするため、各図面において同一の構成要素に対しては可能な限り同一の符合を付して重複する説明は省略する。
【００１２】
図１は、本発明の一実施形態にかかる浴室天井用照明器具を下から見た斜視図であり。図２はこの浴室天井用照明器具を斜め上から見た斜視図、図３は浴室天井用照明器具の分解図、図４は線ばねの拡大斜視図、図５はばね受け部の拡大図である。
【００１３】
図１〜３に示すように、浴室天井用照明器具は、浴室などの天井に固定ビスによって取り付けられて、光源を有する照明器具本体１０（以下、本体１０と記す）と、本体１０に下方から装着される透光カバー２０と、を備えている。本体１０は、光源１１と点灯回路（図示せず）を備えている。また、透光カバー２０は、本体１０の下方に被せられたグローブである。本体１０および透光カバー２０は、いずれも平面視矩形状をしている。
【００１４】
また、図９に示すように、本体１０と透光カバー２０との間にはシール部を設けている。シール部は、本体１０の下面に取付けたパッキン５０に透光カバー２０の上面に形成した凸リブ６０が押し当てられたものである。パッキン５０は、凸リブ６０よりも大きな横幅を有した幅広形状である。パッキン５０および凸リブ６０を切れ目のないように連続させて設けることにより、このシール部を本体１０の全周に設けることができ、浴室内の湿気が本体１０の電気部品に触れないようにしている。
なお、パッキン５０が透光カバー２０の端部に露出しないように、透光カバー２０の上面は、図９に示すように、透光カバー２０の周縁を内側に折り込ませた部分に設けている。
【００１５】
また、本体１０と透光カバー２０とは、図２に示すように、略Ｖ字状の線ばね３０で連結されている。
図４に示すように、線ばね３０は、略Ｖ字状をなす一対のアーム部３１を有しており、アーム部３１の基端部に透光カバー２０への取付け部３２が形成され、一対のアーム部３１の両先端部に鉤部３３が形成されている。なお、透光カバー２０のうち、対称となる２箇所に、それぞれ線ばね３０が取り付けられている。
【００１６】
本体１０には、透光カバー２０に取り付けられた線ばね３０を挿通させて、アーム部３１や鉤部３３を本体１０の上方に配置するための貫通孔１３が形成されている。そして、貫通孔１３のすぐ脇には、ばね受け部１５が設けられている。ばね受け部１５の貫通孔１３寄りには、上向きの凸壁１７が設けられている。
【００１７】
透光カバー２０を本体１０に装着する際には、まず、線ばね３０のアーム部３１の先端、すなわち鉤部３３を、線ばね３０を弾性変形させながら貫通孔１３を挿通させて、本体１０の上方に到達させて、図６の状態にする。その状態では、鉤部３３はばね受け部１５に当接しており、透光カバー２０は本体１０から落下しないように支持されている。
この状態から、透光カバー２０を持ち上げると、線ばね３０の広がりが貫通孔１３によって圧縮されるようにして線ばね３０のアーム部３１が貫通孔１３を挿通する。そして、透光カバー２０を完全に持ち上げると、アーム部３１のほぼ全体が本体１０の上方に到達する（図７の状態）。線ばね３０は、アーム部３１の基端部から先端部にかけて広がる形状であるから、この状態で線ばね３０は貫通孔１３による圧縮変形が解除されて、アーム部３１は貫通孔１３の上方で広がっている。これにより、線ばね３０は貫通孔１３に弾性的に保持され、透光カバー２０が落下しないようになる。このようにして、透光カバー２０が本体１０に装着される。
【００１８】
さて、従来の天井取付用照明器具においては、本体１０を固定ビス４０で天井に固定してしまった後は、再び固定ビス４０を緩めない限り、透光カバー２０の角度調整ができなかった。しかし、本実施形態の天井取付用照明器具では、本体１０の固定ビス４０を緩めなくても水平方向の角度調整が可能である。以下、図に基づいて説明する。
【００１９】
図８は、透光カバーを水平方向に回動させた状態を示す、照明器具本体の一部を切り欠いた平面図、図９は、図８のＸ−Ｘ断面図、図１０は、透光カバーを水平方向に回動させた状態の止水部を示す拡大図である。
図８は、本体１０が固定された状態で透光カバー２０が水平方向にわずかに回動させた状態を示している。また、図１０は透光カバー２０が回動した場合でもパッキン５０の幅内に凸リブ６０が収まっていることを示している。
【００２０】
透光カバー２０は本体１０に装着した後でも、水平方向に角度微調整が可能となるように、本体１０に対して水平方向に回動可能に取り付けられている。具体的には、透光カバー立ち上がり部２１と本体１０の内側の間にクリアランスを設けることにより、水平方向に回動可能としている。これにより、本体１０を天井に固定する固定ビス４０を緩めることなく、天井取付用照明器具を、浴室の天井と壁の境界線と平行になるように角度を微調整することが可能となる。
【００２１】
そして、透光カバー２０を回動させた後でも、本体１０と透光カバー２０を水密状態とするために、前述したように、本体１０の下面には幅広のパッキン５０が貼り付けられている。パッキン５０の広さは、透光カバー２０の回動可能な範囲で、凸リブ６０がパッキン５０に当接する幅である。これにより透光カバー２０が回動した際もパッキン５０の幅内に凸リブ６０が収まるため、水密状態を確保することができる。
【符号の説明】
【００２２】
１０…照明器具本体本体
１１…光源
１３…貫通孔
１５…ばね受け部
１７…凸壁
２０…透光カバー
２１…透光カバー立ち上がり部
３０…線ばね
３１…アーム部
３２…取り付け部
３３…鉤部
４０…固定ビス
５０…パッキン
６０…凸リブ
【図１】
2013196815.tif 000003
【図２】
2013196815.tif 000004
【図３】
2013196815.tif 000005
【図４】
2013196815.tif 000006
【図５】
2013196815.tif 000007
【図６】
2013196815.tif 000008
【図７】
2013196815.tif 000009
【図８】
2013196815.tif 000010
【図９】
2013196815.tif 000011
【図１０】
2013196815.tif 000012